(57)【要約】      （修正有）【課題】電動モータを内蔵した本体ハウジングの外形を小さくして作業者が把持し易い形状、寸法にすることが可能な手持ち式電動工具を提供する。【解決手段】把持可能な本体ハウジング２と、これに収納される電動モータ３と、電動モータで駆動される加工部とを備え、電動モータのステータコア３１は、ロータ４０に対向する内周側に複数の磁極部３２を有するとともに、ステータコアの外周面は、円周面の一部を磁極部の背後に位置する部分の肉厚を薄くして平面３６で形成した形状であり、本体ハウジングは外周面に外接するようにステータコアを囲み、平面３６に対応する平面部２ａを有する。【選択図】図２
0003190903.tif 000002
【実用新案登録請求の範囲】
【請求項１】
把持可能な本体ハウジングと、
前記本体ハウジングに収納される電動モータと、
前記電動モータで駆動される加工部とを備え、
前記電動モータはインナーロータ形であって、前記モータのステータコアは、ロータに対向する内周側に複数の磁極部を有するとともに、前記ステータコアの外周面は、円周面の一部を、前記磁極部の背後部分の肉厚を薄くするために平面で形成した形状であり、
前記本体ハウジングは前記外周面に外接するように前記ステータコアを囲み、前記ステータコアの平面に対応する平面部を有することを特徴とする手持ち式電動工具。
【請求項２】
前記ステータコアは磁性体板の積層構造である請求項１に記載の手持ち式電動工具。
【請求項３】
前記加工部は、前記電動モータで回転駆動される駆動プーリー、前記駆動プーリーと回転中心軸が平行な従動プーリー、及び前記駆動プーリーと従動プーリー間に懸架される無端サンダベルトを有することを特徴とする請求項１又は２に記載の手持ち式電動工具。
【考案の詳細な説明】
【技術分野】
【０００１】
本考案は、木工製品や金属製品の加工等に用いる手持ち式電動工具に関するものである。
【背景技術】
【０００２】
一般に、木工製品や金属製品の加工仕上げ等に用いる手持ち式ベルトサンダ等においては、電動モータを内蔵した本体ハウジングを作業者が把持して、被加工部にサンダベルトを当てるようにして被加工部を加工する。このため、本体ハウジングは作業者が把持し易い形状、寸法であることが望ましい。
【考案の概要】
【考案が解決しようとする課題】
【０００３】
本考案は、上記の点に鑑み、電動モータを内蔵した本体ハウジングを作業者が把持し易い形状、寸法することが可能な手持ち式電動工具を提供しようとするものである。
【課題を解決するための手段】
【０００４】
本考案の態様は手持ち式電動工具である。この手持ち式電動工具は、把持可能な本体ハウジングと、前記本体ハウジングに収納される電動モータと、前記電動モータで駆動される加工部とを備え、
前記電動モータはインナーロータ形であって、前記モータのステータコアは、ロータに対向する内周側に複数の磁極部を有するとともに、前記ステータコアの外周面は、円周面の一部を、前記磁極部の背後部分の肉厚を薄くするために平面で形成した形状であり、前記本体ハウジングは前記外周面に外接するように前記ステータコアを囲み、前記ステータコアの平面に対応する平面部を有することを特徴とする。
【０００５】
前記態様において、前記ステータコアは磁性体板の積層構造であるとよい。
【０００６】
前記態様において、前記加工部は、前記電動モータで回転駆動される駆動プーリー、前記駆動プーリーと回転中心軸が平行な従動プーリー、及び前記駆動プーリーと従動プーリー間に懸架される無端サンダベルトを有するとよい。
【０００７】
なお、以上の構成要素の任意の組合せもまた、本考案の態様として有効である。
【考案の効果】
【０００８】
本考案に係る手持ち式電動工具によれば、ステータコアの外周面において、円周面の一部を、磁極部の背後部分の肉厚を薄くするために平面で形成したので、全周にわたり略円周面となっている従来のステータコアに比較して、ステータコアを囲む本体ハウジングの外形を小さくでき、作業者が把持しやすい構造とすることが可能である。
【図面の簡単な説明】
【０００９】
【図１】本考案に係る手持ち式電動工具の実施の形態であって、主要構成を示す斜視図。
【図２】実施の形態において、本体ハウジングの電動モータを内蔵した部分の横断面図。
【図３】実施の形態において用いるステータコアの正面図。
【図４】同側面図。
【考案を実施するための形態】
【００１０】
以下、図面を参照しながら本考案の好適な実施の形態を詳述する。なお、各図面に示される同一または同等の構成要素、部材等には同一の符号を付し、適宜重複した説明は省略する。また、実施の形態は考案を限定するものではなく例示であり、実施の形態に記述されるすべての特徴やその組み合わせは必ずしも考案の本質的なものであるとは限らない。
【００１１】
図１乃至図４で本考案の実施の形態を手持ち式電動工具としての手持ち式ベルトサンダを例にとって説明する。これらの図において、手持ち式ベルトサンダ１は、作業者が把持可能な本体ハウジング２と、本体ハウジング２に収納される電動モータ３と、これで駆動されて無端サンダベルト１１を走行させる加工部１０とを備える。
【００１２】
加工部１０は、本体ハウジング２の前端部に連結固定される連結部１２と、連結部１２に回転自在に軸支される駆動プーリー１３と、連結部１２と一体のアーム部１４と、アーム部１４で摺動自在に支持されるホルダ１５と、ホルダ１５に取り付けられる従動プーリー１６と、駆動プーリー１３と従動プーリー１６間に懸架される無端サンダベルト１１とを有している。駆動プーリー１３と従動プーリー１６の回転中心軸は互いに平行である。また、駆動プーリー１３を部分的に囲むカバー１７が連結部１２上に固定されている。
【００１３】
アーム部１４には有底挿入穴１４ａが設けられており、ホルダ１５の摺動軸部１５ａが摺動自在に嵌入している。また、軸部１５ａを突出方向に（ひいては従動プーリー１６を前進方向に）付勢するスプリング（図示せず）が有底挿入穴１４ａ内部に配置されており、これによって、駆動プーリー１３と従動プーリー１６間に無端サンダベルト１１が弛まないように懸架される。
【００１４】
電動モータ３の出力軸３ａには傘歯車２１が固着され、これと噛合する傘歯車２２が出力軸３ａと直交するように連結部１２で軸支された駆動軸２３に固着され、駆動軸２３に駆動プーリー１３が固着されている。従って、電動モータ３の回転力は連結部１２内の傘歯車２１，２２を介して駆動プーリー１３に伝達される。
【００１５】
電動モータ３は、図２乃至図４に示すように、インナーロータ形であって、例えばユニバーサルモータ（交流整流子モータ）である。モータ３はステータ３０とその内側で回転自在に支持されるロータ４０とを有する（ロータ４０の詳細は省略する）。ステータコア３１は、ロータ４０に対向する内周側に複数の磁極部３２を有する。ステータ３０は、ステータコア３１の磁極部３２基部にステータ巻線３３を施したものである。
【００１６】
ステータコア３１は磁性体板としての鋼板を多数積層し、リベット又はボルト３４で締め付け一体化したものであり、従来は点線Ｑのように全周にわたり略円周面となっていたが、磁束の流れを悪くしない範囲で、磁極部３２の背後部分の肉厚を薄くするために平面３６を形成している。また、本体ハウジング２はステータコア３１の外周面に外接するようにステータコア３１を囲み、ステータコア３１の平面３６に対応する平面部２ａを有する。このように、ステータコア３１に外接する本体ハウジング２は、ステータコア３１の磁極部３２の背後に位置する部分の肉厚が薄い分だけ、小径、小形になり、作業者が把持し易くなる。
【００１７】
以上の構成において、電動モータ３が回転駆動すると、その回転力は傘歯車２１，２２を介して駆動プーリー１３に伝達され、駆動プーリー１３の駆動力で駆動プーリー１３と従動プーリー１６間に懸架された無端サンダベルト１１が回転し、サンダベルト１１を被加工部に当てることで、被加工部が加工される。
【００１８】
以上、実施の形態を例に本考案を説明したが、実施の形態の各構成要素には請求項に記載の範囲で種々の変形が可能であることは当業者に理解されるところであり、手持ち式ベルトサンダ以外の手持ち式電動工具に本考案が適用可能であることは自明である。
【符号の説明】
【００１９】
１  ベルトサンダ
２  本体ハウジング
２ａ  平面部
３  電動モータ
１０  加工部
１１  無端サンダベルト
１２  連結部
１３  駆動プーリー
１４  アーム部
１４ａ  有底挿入穴
１５  ホルダ
１５ａ  摺動軸部
３０  ステータ
３１  ステータコア
３２  磁極部
３３  ステータ巻線
３６  平面
４０  ロータ
【図１】
0003190903.tif 000003
【図２】
0003190903.tif 000004
【図３】
0003190903.tif 000005
【図４】
0003190903.tif 000006